(57)【要約】      （修正有）【課題】原動力の馬力アップなしで回転速度を維持しながら回転する力を増幅させる装置を提供する。【解決手段】角度９０度４辺同じの正方形の回転軸１から、対角線を延長し角度３０度ずつに分割する。回転軸１の対角線の１／２の長さを倍にのばした点から、角度３０度右にずらした位置より、角度９０度４辺同じの正方形の内受２と、回転軸１の対角線の１／２の長さを３倍に延ばした点から、角度６０度右にずらした位置より、角度９０度４辺同じの正方形の内受３を、回転軸１の対角線の１／２の長さを４倍にのばした点の円で包囲した外受４の回転動力増幅装置Ａと、これと同様に構成した回転動力増幅装置Ｂとを組み合わせることにより、回転の力を抵抗に変える回転動力増幅装置を構成した。【選択図】図１
2014020549.tif 000002
【特許請求の範囲】
【請求項１】
角度９０度４辺同じの正方形の回転軸（１）から、対角線を延長し角度３０度ずつに分割する。（１）の回転軸の対角線の１／２の長さを倍に延ばした点より角度３０度右にずらした位置より、角度９０度４辺同じの正方形の内受（２）で囲み、その外側を回転軸（１）の対角線の１／２の長さを３倍に延ばした点より、右に角度６０度ずらした位置より角度９０度４辺同じの正方形の内受（３）で囲み、その３個を（１）の回転軸の対角線の１／２の長さを４倍にした点の円で包囲した外受（４）の構造（Ａ）と角度９０度４辺同じの正方形の回転軸（１）から、対角線を延長し角度３０度ずつに分割する。（１）の回転軸の対角線の１／２の長さを倍に延ばした点より角度３０度左にずらした位置より、角度９０度４辺同じの正方形の内受（５）で囲み、その外側を回転軸（１）の対角線の１／２の長さを３倍に延ばした点より、左に角度６０度ずらした位置より角度９０度４辺同じの正方形の内受（６）で囲み、その３個を（１）の回転軸の対角線の１／２の長さを４倍にした点の円で包囲した外受（７）の構造（Ｂ）の組み合わせによる回転動力増幅装置。
【発明の詳細な説明】
【技術分野】
【０００１】  この発明は、回転の抵抗（負荷）を力に変換し、動力を増幅するためのものであり、角度９０度４辺同じの回転軸（１）から、対角線を延長し角度３０度ずつに分割する。（１）の回転軸の対角線の１／２の長さを倍に延ばした点より角度３０度右にずらした位置より、角度９０度４辺同じの正方形の内受（２）で囲み、その外側を回転軸（１）の対角線の１／２の長さを３倍に延ばした点より、右に角度６０度ずらした位置より角度９０度４辺同じの正方形の内受（３）で囲み、その３個を（１）の回転軸の１／２の長さを４倍にした点の円で包囲した外受（４）の回転動力増幅装置（Ａ）と角度９０度４辺同じの回転軸（１）から、対角線を延長し角度３０度ずつに分割する。（１）の回転軸の対角線の１／２の長さを倍に延ばした点より角度３０度左にずらした位置より、角度９０度４辺同じの正方形の内受（５）で囲み、その外側を回転軸（１）の対角線の１／２の長さを３倍に延ばした点より左に角度６０度ずらした位置より角度９０度４辺同じの正方形の内受（６）で囲み、その３個を（１）の回転軸の１／２の長さを４倍にした点の円で包囲した外受（７）の回転動力増幅装置（Ｂ）の組み合わせに関する。【０００２】  従来、回転する力に大きな負荷がかかった場合、回転する力を強くさせる装置としては、ギア等を用いて互いの回転数の差を変化させる方法（変速機）が取られていた。しかしこの方法によって出力回転の力を強化させると、その強化比率に反比例して、出力回転速度が遅くなると欠点が生じていた。
【発明の開示】
【発明が解決しようとする課題】
【０００３】  変速機で回転する力を強くさせると、その増加比率に反比例して、回転速度が遅くなることから、力を強化してなお回転速度も維持するためには原動力の馬力アップが必要であった。しかし、回転の負荷（抵抗）に応じて、回転する力を増幅できれば、原動力の馬力アップもせずに、同じ回転速度を維持することができる。そのために回転の抵抗を力に変える装置として、本発明はなされた。
【課題を解決するための手段】
【０００４】  角度９０度４辺同じの正方形の回転軸（１）から、対角線を延長し３０度ずつに分割する。（１）の回転軸の対角線の１／２の長さを倍に延ばした点より角度３０度右にずらした位置より、角度９０度４辺同じの正方形の内受（２）で囲み、その外側を回転軸（１）の１／２の長さを３倍に延ばした点より角度６０度右にずらした位置より角度９０度４辺同じの正方形の内受（３）で囲み、その３個を、回転軸（１）の対角線の１／２の長さのを４倍にした点の円で包囲した外受（４）の構造（Ａ）と角度９０度４辺同じの正方形の回転軸（１）から、対角線を延長し３０度ずつに分割する。（１）の回転軸の対角線の１／２の長さを倍に延ばした点より角度３０度左にずらした位置より、角度９０度４辺同じの内受（５）で囲み、その外側を回転軸（１）の対角線の１／２の長さを３倍に延ばした点より、角度６０度左にずらした位置より、角度９０度４辺同じの正方形の内受（６）で囲み、その３個を、回転軸（１）の対角線の１／２の長さを４倍にした点の円で包囲した構造の外受（７）（Ｂ）の組み合わせによる回転動力増幅装置である。
【発明の効果】
【０００５】  回転軸への負荷（抵抗）に応じて回転の力が増幅されるので、原動力が少なくてすむ。
【発明を実施するための最良の形態】
【０００６】  角度９０度４辺同じの正方形の回転軸（１）から、対角線を延長し３０度ずつに分割する。（１）の回転軸の対角線の１／２の長さを倍に延ばした点より角度３０度右にずらした位置より、角度９０度４辺同じの正方形の内受（２）で囲み、その外側を回転軸（１）の１／２の長さを３倍に延ばした点より角度６０度右にずらした位置より角度９０度４辺同じの正方形の内受（３）で囲み、その３個を、回転軸（１）の対角線の１／２の長さを４倍にした点の円で包囲した外受（４）構造（Ａ）と角度９０度４辺同じの正方形の回転軸（１）から、対角線を延長し３０度ずつに分割する。（１）の回転軸の対角線の１／２の長さを倍に延ばした点より角度３０度左にずらした位置より、角度９０度４辺同じの内受（５）で囲み、その外側を回転軸（１）の対角線の１／２の長さを３倍に延ばした点より、角度６０度左にずらした位置より、角度９０度４辺同じの正方形の内受（６）で囲み、その３個を、回転軸（１）の対角線の１／２の長さを４倍にした点の円で包囲した外受（７）構造（Ｂ）の組み合わせである。【０００７】  回転と力と抵抗は別である。この装置は、自らは回転しないし、加速もしない。外部動力装置から回転軸（１）へ回転運動を受けることにより、抵抗を力に変え、力のみを増幅（発生）させるものである。【０００８】  回転動力増幅装置（Ａ）と回転動力増幅装置（Ｂ）の回転軸（１）が、回転方向へ前進する。このことにより角度がいつも半分ずつ下りになり、下りの角度がかけ合わさることにより、抵抗をうけた内受（２）と（５）（３）と（６）は、外に逃げる力を外受（４）と（７）で回転軸の方へ増幅させ、回転の力となる。軸が回って軸に力がくる。【０００９】  角度が正反対の回転動力増幅装置（Ａ）と（Ｂ）が回転することにより、角度が突っ張りあうことで、力が生じたり消えたりしながら、回転軸（１）の上を力が走る状態となり、無限に近い力が回転方向に起きる。【００１０】  この回転動力増幅装置を様々な回転軸に連動させると、回転動力が増幅されて原動力の供給を軽減できる。
【産業上の利用可能性】
【００１１】  現在使用されている様々な回転動力の補助装置として、あらゆるものに利用できる。
【図面の簡単な説明】
【００１２】
【図１】  本発明の正面断面図である。
【図２】  本発明の側面断面図である。
【符号の説明】  Ａ−１，角度９０度で４辺同じの正方形の回転軸
Ａ−２，１の対角線の１／２の長さを倍に延ばした点から、角度３０度右にずらした位置より角度９０度４辺同じの正方形の内受
Ａ−３，１の対角線の１／２の長さを３倍に延ばした点から、角度６０度右にずらした位置より角度９０度４辺同じの正方形の内受
Ａ−４，１の対角線の１／２の長さを４倍に延ばした点の円の外受
Ｂ−１，角度９０度で４辺同じの正方形の回転軸
Ｂ−５，１の対角線の１／２の長さを倍に延ばした点から、角度３０度左にずらした位置より角度９０度４辺同じの正方形の内受
Ｂ−６，１の対角線の１／２の長さを３倍に延ばした点から、角度６０度左にずらした位置より角度９０度４辺同じの正方形の内受
Ｂ−７，１の対角線の１／２の長さを４倍に延ばした点の円の外受
【図１】
2014020549.tif 000003
【図２】
2014020549.tif 000004